(57)【要約】【課題】新たな熱源設備の導入に関する情報を、簡易に顧客に提供することを目的とする。【解決手段】サーバは、情報処理装置から通信回線を介したアクセスがあった場合、情報処理装置の画面に、ＨＤＤに記憶している負荷パターンデータにより示される複数の負荷パターンのうち、一つの負荷パターンの選択を促す画像を表示させる。そして、サーバは、情報処理装置で選択された負荷パターンに基づいて、設定された熱源設備の導入に関する予測値を算出し、該予測値を情報処理装置の画面に表示させる。【選択図】図３
2012150674.tif 000002
【特許請求の範囲】
【請求項１】
通信回線を介して接続されている他の情報処理装置との間でデータの送受信を行う情報処理装置であって、
熱源設備を設置させる対象となる施設の種類毎に異なる複数の負荷パターンを示す負荷パターンデータを記憶した記憶手段と、
前記他の情報処理装置から前記通信回線を介したアクセスがあった場合、該他の情報処理装置の画面に、前記記憶手段に記憶されている前記負荷パターンデータにより示される複数の負荷パターンのうち、一つの負荷パターンの選択を促す画像を表示させる選択画像表示手段と、
前記他の情報処理装置によって選択された前記負荷パターンに基づいて、設定された前記熱源設備の導入に関する予測値を算出する算出手段と、
前記算出手段によって算出された前記予測値を前記他の情報処理装置の画面に表示させる予測値表示手段と、
を備えた情報処理装置。
【請求項２】
前記負荷パターンは、前記熱源設備を設置させる対象となる施設の種類毎、及び前記熱源設備を設置させる対象となる施設が位置する地域毎に異なる請求項１記載の情報処理装置。
【請求項３】
前記算出手段によって予測値が算出される前記熱源設備の構成は、変更可能とされている請求項１又は請求項２記載の情報処理装置。
【請求項４】
前記予測値は、設定された前記熱源設備の消費電力量、又は設定された前記熱源設備の導入により必要とするコストである請求項１から請求項３の何れか１項記載の情報処理装置。
【請求項５】
通信回線を介して接続されている他の情報処理装置との間でデータの送受信を行う情報処理装置の熱源設備導入試算方法であって、
前記他の情報処理装置から前記通信回線を介したアクセスがあった場合、該他の情報処理装置の画面に、記憶手段に記憶されている熱源設備を設置させる対象となる施設の種類毎に異なる複数の負荷パターンのうち、一つの負荷パターンの選択を促す画像を表示させる第１工程と、
前記他の情報処理装置によって選択された前記負荷パターンに基づいて、設定された前記熱源設備の導入に関する予測値を算出する第２工程と、
前記第２工程によって算出された前記予測値を前記他の情報処理装置の画面に表示させる第３工程と、
を含む熱源設備導入試算方法。
【発明の詳細な説明】
【技術分野】
【０００１】
本発明は、情報処理装置及び熱源設備導入試算方法に関するものである。
【背景技術】
【０００２】
冷凍機及び各種補機（冷却塔、冷却水ポンプ、冷水ポンプ）等を含む熱源設備において、所定の熱供給を提供するため、消費電力量が最も少なくなるように、冷凍機と周辺補機を運転することが要求されている。
【０００３】
そこで、特許文献１には、ユーティリティ消費量から省エネルギに関する評価値を導出可能な評価値導出手段と、各駆動部Ｄの駆動条件を変化させると共に評価値導出手段で評価値を導出して、評価値が最適化される各駆動部の最適駆動条件を導出する最適駆動条件導出手段と、各駆動部の駆動条件を最適駆動条件に設定する設定手段を備えた制御システムが記載されている。
また、例えば、補機の運転をインバータ制御する制御システムを導入することによって、インバータ電圧、周波数を可変制御し、補機での消費電力量を減らすことが可能となる。
【先行技術文献】
【特許文献】
【０００４】
【特許文献１】特開２００４−１０１０８７号公報
【発明の概要】
【発明が解決しようとする課題】
【０００５】
しかしながら、熱源設備を有する顧客や新たに熱源設備の導入を考慮している顧客にとって、熱源設備全体を最適制御する制御システムを新たに導入することによる経済効果等の情報を入手し、熱源設備の新たな導入の有無を簡易に判断することは難しい。
【０００６】
本発明は、このような事情に鑑みてなされたものであって、新たな熱源設備の導入に関する情報を、簡易に顧客に提供することができる情報処理装置及び熱源設備導入試算方法を提供することを目的とする。
【課題を解決するための手段】
【０００７】
上記課題を解決するために、本発明の情報処理装置及び熱源設備導入試算方法は以下の手段を採用する。
【０００８】
すなわち、本発明に係る情報処理装置は、通信回線を介して接続されている他の情報処理装置との間でデータの送受信を行う情報処理装置であって、熱源設備を設置させる対象となる施設の種類毎に異なる複数の負荷パターンを示す負荷パターンデータを記憶した記憶手段と、前記他の情報処理装置から前記通信回線を介したアクセスがあった場合、該他の情報処理装置の画面に、前記記憶手段に記憶されている前記負荷パターンデータにより示される複数の負荷パターンのうち、一つの負荷パターンの選択を促す画像を表示させる選択画像表示手段と、前記他の情報処理装置によって選択された前記負荷パターンに基づいて、設定された前記熱源設備の導入に関する予測値を算出する算出手段と、前記算出手段によって算出された前記予測値を前記他の情報処理装置の画面に表示させる予測値表示手段と、を備える。
【０００９】
本発明によれば、通信回線を介して接続されている他の情報処理装置との間でデータの送受信を行う情報処理装置であり、熱源設備を設置させる対象となる施設の種類毎に異なる複数の負荷パターンを示す負荷パターンデータを記憶手段に記憶している。
すなわち、他の情報処理装置は、熱源設備の導入を考慮している顧客のもとにあると共に、例えば顧客によって操作される情報処理装置であり、通信回線は、例えば、インターネットが可能な通信回線である。
【００１０】
他の情報処理装置から通信回線を介したアクセスがあった場合、選択画像表示手段によって、他の情報処理装置の画面に、記憶手段に記憶されている負荷パターンデータにより示される複数の負荷パターンのうち、一つの負荷パターンの選択を促す画像が表示される。
そして、算出手段によって、他の情報処理装置で選択された負荷パターンに基づいて、設定された熱源設備の導入に関する予測値が算出され、予測値表示手段によって該予測値が他の情報処理装置の画面に表示される。
【００１１】
このように、通信回線を介して、熱源設備を設置させる対象となる施設の種類に応じた負荷パターンが、顧客のもとにある情報処理装置によって選択され、選択された負荷パターンに基づいて、設定された熱源設備の導入に関する予測値を算出し、該予測値をアクセス元となる他の情報処理装置の画面に表示させるので、本発明は、新たな熱源設備の導入に関する情報を、簡易に顧客に提供することができる。
【００１２】
また、本発明の情報処理装置は、前記負荷パターンを、前記熱源設備を設置させる対象となる施設の種類毎、及び前記熱源設備を設置させる対象となる施設が位置する地域毎に異なるものとしてもよい。
【００１３】
本発明によれば、熱源設備を設置させる対象となる施設が位置する地域によって、気象、すなわち外気温度等が異なる場合がある。そのため、熱源設備を設置させる対象となる施設が位置する地域毎に異なる負荷パターンとすることで、設定された熱源設備の導入に関する予測値をより正確に算出することができる。
【００１４】
また、本発明の情報処理装置は、前記算出手段によって予測値が算出される前記熱源設備の構成が、変更可能とされてもよい。
【００１５】
本発明によれば、顧客が導入を考慮する熱源設備の構成は様々であるため、より顧客の希望にそった熱源設備の導入に関する情報を、簡易に顧客に提供することができる。
【００１６】
また、本発明の情報処理装置は、前記予測値を、設定された前記熱源設備の消費電力量、又は設定された前記熱源設備の導入により必要とするコストとしてもよい。
【００１７】
本発明によれば、より顧客の希望にそった熱源設備の導入に関する情報を、簡易に顧客に提供することができる。
【００１８】
一方、本発明に係る熱源設備導入試算方法は、通信回線を介して接続されている他の情報処理装置との間でデータの送受信を行う情報処理装置の熱源設備導入試算方法であって、前記他の情報処理装置から前記通信回線を介したアクセスがあった場合、該他の情報処理装置の画面に、記憶手段に記憶されている熱源設備を設置させる対象となる施設の種類毎に異なる複数の負荷パターンのうち、一つの負荷パターンの選択を促す画像を表示させる第１工程と、前記他の情報処理装置によって選択された前記負荷パターンに基づいて、設定された前記熱源設備の導入に関する予測値を算出する第２工程と、前記第２工程によって算出された前記予測値を前記他の情報処理装置の画面に表示させる第３工程と、を含む。
【００１９】
本発明によれば、通信回線を介して、熱源設備を設置させる対象となる施設の種類に応じた負荷パターンが、顧客のもとにある情報処理装置によって選択され、選択された負荷パターンに基づいて、設定された熱源設備の導入に関する予測値を算出し、該予測値をアクセス元となる他の情報処理装置の画面に表示させるので、本発明は、新たな熱源設備の導入に関する情報を、簡易に顧客に提供することができる。
【発明の効果】
【００２０】
本発明によれば、新たな熱源設備の導入に関する情報を、簡易に顧客に提供することができる、という優れた効果を有する。
【図面の簡単な説明】
【００２１】
【図１】本発明の実施形態に係るサーバの構成図である。
【図２】本発明の実施形態に係るサーバの電気的構成を示すブロック図である。
【図３】本発明の実施形態に係る熱源設備導入試算処理の流れを示すフローチャートである。
【図４】本発明の実施形態に係る情報処理装置の画面に表示される画像を示す図である。
【図５】本発明の実施形態に係る負荷パターンを示すグラフである。
【図６】本発明の実施形態に係る設定される熱源設備の例を示す模式図である。
【図７】本発明の実施形態に係るインバータ制御可能な冷凍機の特性を示すグラフである。
【図８】本発明の実施形態に係る試算結果の一例を示すグラフである。
【発明を実施するための形態】
【００２２】
以下に、本発明に係る情報処理装置及び熱源設備導入試算方法の一実施形態について、図面を参照して説明する。
図１は、本実施形態に係る熱源設備導入試算システム１０の構成を示す模式図である。
【００２３】
熱源設備導入試算システム１０は、例えば、パーソナルコンピュータである情報処理装置１２とサーバ１４とが通信回線１６を介して接続されている。
通信回線１６は、例えば、インターネットが可能な通信回線であり、本実施形態では、情報処理装置１２とサーバ１４とが通信回線１６を介してデータの送受信が可能とされている。
【００２４】
情報処理装置１２は、Ｗｅｂページを閲覧するためのプログラム（以下、「Ｗｅｂブラウザ」という。）が予め記憶（インストール）されている。
【００２５】
本実施形態に係るサーバ１４は、情報処理装置１２から通信回線１６を介したアクセス、例えば、インターネットによる所定のＷｅｂページからのアクセスがあった場合に、熱源設備導入試算処理に関するデータを、アクセス元の情報処理装置１２へ送信し、該情報処理装置１２が有する画像表示部１２Ａに表示させると共に、該情報処理装置１２から熱源設備導入試算処理に関するデータを受信する。情報処理装置１２は、熱源設備導入試算処理に関するデータを受信すると、Ｗｅｂプラウザを介して該データに基づく画像を画像表示部１２Ａに表示する。
【００２６】
なお、熱源設備導入試算処理は、設定された熱源設備の導入に関する予測値（導入コストや使用電力量等）を算出する処理である。すなわち、情報処理装置１２は、熱源設備の導入を考慮している顧客のもとにあり、例えば顧客によって操作される。そして、熱源設備導入処理は、熱源設備の導入を考慮している顧客が、熱源設備を導入することによる効果を確認するための処理である。
【００２７】
図２は、本実施形態に係るサーバ１４の電気的構成を示すブロック図である。
本実施形態に係るサーバ１４は、サーバ１４全体の動作を司るＣＰＵ（Central Processing Unit）２０、各種プログラムや各種パラメータ等が予め記憶されたＲＯＭ（Read Only Memory）２２、ＣＰＵ２０による各種プログラムの実行時のワークエリア等として用いられるＲＡＭ（Random Access Memory）２４、各種プログラム及び各種データを記憶する記憶手段としてのＨＤＤ（Hard Disk Drive）２６を備えている。
【００２８】
さらに、サーバ１４は、キーボード及びマウス等から構成され、各種操作の入力を受け付ける操作入力部２８、各種画像を表示する、例えば液晶ディスプレイ装置等の画像表示部３０、通信回線１６を介して情報処理装置１２と接続され、情報処理装置１２との間で各種データの送受信を行う外部インタフェース３２を備えている。
【００２９】
これらＣＰＵ２０、ＲＯＭ２２、ＲＡＭ２４、ＨＤＤ２６、操作入力部２８、画像表示部３０、及び外部インタフェース３２は、システムバス３４を介して相互に電気的に接続されている。従って、ＣＰＵ２０は、ＲＯＭ２２、ＲＡＭ２４、及びＨＤＤ２６へのアクセス、操作入力部２８に対する操作状態の把握、画像表示部３０に対する画像の表示、並びに外部インタフェース３２を介した情報処理装置１２との各種データの送受信等を各々行なうことができる。
【００３０】
なお、本実施形態に係るＨＤＤ２６には、熱源設備を設置させる対象となる施設の種類毎に異なる複数の負荷パターンを示す負荷パターンデータ、熱源設備を構成する各機器（例えば、冷却塔、冷凍機、各種ポンプ、各種ヘッダ、及び各種弁等）の価格を示した機器価格データ、設定された熱源設備を構成する各機器の諸元を示した機器諸元データ、及び設定された熱源設備の導入に関する予測値（例えば、熱源設備に要する各種コスト、ＣＯ２排出量、及び消費電力量等）を算出するためのプログラム（以下、「予測値試算プログラム」という。）を記憶している。
【００３１】
そして、本実施形態に係るサーバ１４は、上述したように、情報処理装置１２から通信回線１６を介したアクセスがあった場合に、熱源設備導入試算処理を実行する。
【００３２】
図３は、熱源設備導入試算処理を行う場合に、サーバ１４が備えるＣＰＵ２０によって実行される熱源設備導入試算プログラムの処理の流れを示すフローチャートであり、熱源設備導入試算プログラムはＨＤＤ２６の所定領域に予め記憶されている。
なお、熱源設備導入試算プログラムは、インターネットによる所定のＷｅｂページを介したアクセスが情報処理装置１２からあった場合に実行される。また、上記所定のＷｅｂページは、予め定められたログインＩＤが入力され、照合に成功した場合にのみ、アクセス可能とされてもよい。
【００３３】
また、以下の熱源設備導入試算処理の説明では、主に、熱源装置の導入を考慮している顧客によって、情報処理装置１２が操作される場合について説明する。しかし、これに限らず、熱源装置の導入を顧客に勧める営業担当者によって、顧客のもとで、情報処理装置１２が操作されてもよい。
【００３４】
まず、ステップ１００では、熱源設備導入試算処理の全体の計算手順の流れを示す画像（以下、「計算手順画像」という。）を、情報処理装置１２が有する画像表示部１２Ａの画面に表示させる。そして、情報処理装置１２の画面に表示されている計算手順画像に含まれる確認済みを示すボタンが、顧客によって押されると、次のステップ１０２へ移行する。
【００３５】
ステップ１０２では、情報処理装置１２の画面に、負荷パターンの選択を促す画像（以下、「負荷パターン選択画像」という。）を表示させる。
【００３６】
図４（Ａ）は、負荷パターン選択画像の一例を示す図である。
負荷パターン選択画像には、複数の負荷パターンが表示され、情報処理装置１２を操作する顧客によって、複数の負荷パターンのうち、一つの負荷パターンが選択される。
【００３７】
図５に複数の負荷パターンの一例を示す。図５に示す複数の負荷パターンは、負荷パターンデータとしてＨＤＤ２６に記憶されているものである。
本実施形態に係る負荷パターンとしては、一例として、工場設備（図５（Ａ））、商業施設（図５（Ｂ））、オフィスビル（図５（Ｃ））、病院（図５（Ｄ））、及びホテル（図５（Ｅ））を例示する。
図５に示すように、各負荷パターンは、横軸が時刻、縦軸が負荷の大きさとされている。また、負荷パターンは、各月毎に異なるものとされている。この理由は、月（季節）によって気象すなわち、外気温度等が異なるためである。
【００３８】
例えば、図５（Ａ）に示す工場設備の負荷パターンは、２４時間稼働する工場設備であるため、常に同程度の大きさの負荷が発生している。図５（Ｂ）に示す商業施設及び図５（Ｃ）に示すオフィスビルの負荷パターンは、夜間から早朝の間は、負荷が小さい。図５（Ｄ）に示す病院及び図５（Ｅ）に示すホテルの負荷パターンは、昼間に比べ夜間の方が負荷は小さいが、商業施設及びオフィスビルの夜間に比べ負荷が大きい。
【００３９】
また、本実施形態に係る負荷パターン選択画像では、各設備の稼働日数（例えば、３６５日稼動、週の稼働日数５日（週休２日）等）も選択可能とされている。
【００４０】
なお、本実施形態では、予め定められた形式（例えば、表形式）で記述された任意の負荷パターンが入力可能とされ、ＨＤＤ２６に記憶されている負荷パターンデータにより示される負荷パターンに替えて、入力した任意の負荷パターンを選択可能とされている。これにより、例えば、熱源装置の導入を顧客に勧める営業担当者が、上記任意の負荷パターンを入力し、選択することができる。
【００４１】
次のステップ１０４では、負荷パターンの選択が終了したか否かを判定し、肯定判定の場合は、ステップ１０６へ移行し、否定判定の場合は、待ち状態となる。
なお、肯定判定となる場合とは、負荷パターン選択画像を介して、情報処理装置１２を操作する顧客が負荷パターン等を選択した後に、負荷パターン選択画像に設けられている決定ボタンを押すことによって、選択した負荷パターンに関するデータ等をサーバ１４へ送信し、該データをサーバ１４が受信した場合である。
【００４２】
ステップ１０６では、情報処理装置１２の画面に、熱源設備に関する各種条件を示す情報（以下、「条件情報」という。）の入力を受け付ける画像（以下、「条件情報入力画像」という。）を表示させる。
【００４３】
図４（Ｂ）は、条件情報入力画像の一例を示す図である。なお、条件情報とは、熱源設備の導入に関する予測値の算出に要する情報であり、具体的には、１ｋＷｈあたりの電気料金、熱源設備に含まれる冷凍機の総容量（負荷容量）、熱源設備に含まれる冷凍機の台数、熱源設備を設置させる対象となる施設が位置する地域（本実施形態では、都市名）、熱源設備を設置させる対象となる施設が位置する地域の電源周波数等である。
【００４４】
次のステップ１０８では、条件情報の入力が終了したか否かを判定し、肯定判定の場合は、ステップ１１０へ移行し、否定判定の場合は、待ち状態となる。なお、肯定判定となる場合とは、条件情報入力画像を介して、情報処理装置１２を操作する顧客が条件情報を入力した後に、条件情報入力画像に設けられている決定ボタンを押すことによって、入力した条件情報をサーバ１４へ送信し、該条件情報をサーバ１４が受信した場合である。
【００４５】
ステップ１１０では、情報処理装置１２の画面に、熱源設備を構成する冷凍機の種類や補機等の情報（以下、「熱源設備情報」という。）の入力を受け付ける画像（以下、「熱源設備設定画像」という。）を表示させる
【００４６】
熱源設備情報として入力される情報としては、図６に例示されるような熱源設備における、冷凍機の種類と台数、各冷凍機の容量、冷却塔及び冷却水ポンプの台数と接続形態、冷却塔に設けられているファンの数、冷凍機と冷却水ポンプとをバイパスするための冷却水バイパス弁の有無、冷水ポンプの台数と接続形態、還水ヘッダと送水ヘッドとをバイパスするための冷水バイパス弁の有無等である。
本実施形態では、顧客が導入を考慮する熱源設備の構成は様々であるため、このように、導入に関する予測値が算出される対象となる熱源設備の構成が変更可能とされている。
【００４７】
なお、熱源設備情報として、複数の構成が予め登録されていてもよい。これにより、所有する熱源設備の詳細について把握していない顧客、又は今後導入を検討している熱源設備の詳細について検討段階にある顧客等は、予め登録されている熱源設備を選択することで、熱源設備の導入に関する予測値を得ることができる。
【００４８】
さらに、本ステップ１１０では、熱源設備情報として、補機の詳細がさらに入力可能とされてもよい。補機の詳細とは、例えば、各種ポンプの揚程と定格流量、冷水の流量の制御可能範囲、冷却水の流量の制御可能範囲、ファンによる風量の制御可能範囲、各種ポンプやファンの効率、及び冷却水の濃縮率等である。
【００４９】
このように、条件情報入力画像を介して入力された条件情報、熱源設備設定画像を介して入力された熱源設備情報によって、導入に関する予測値の算出の対象となる熱源設備が設定されることとなる。
【００５０】
次のステップ１１２では、熱源設備情報の入力が終了したか否かを判定し、肯定判定の場合は、ステップ１１４へ移行し、否定判定の場合は、待ち状態となる。なお、肯定判定となる場合とは、熱源設備設定画像を介して、情報処理装置１２を操作する顧客が熱源設備情報を入力した後に、熱源設備設定画像に設けられている決定ボタンを押すことによって、入力した熱源設備情報をサーバ１４へ送信し、熱源設備情報をサーバ１４が受信した場合である。
【００５１】
ステップ１１４では、情報処理装置１２の画面に、選択した負荷パターン、入力した条件情報及び熱源設備情報の内容の確認を促すための画像（以下、「確認画像」という。）を表示させる。そして、情報処理装置１２の画面に表示されている確認画像に含まれる確認済みを示すボタンが、顧客によって押されると、次のステップ１１６へ移行する。
【００５２】
ステップ１１６では、選択された負荷パターンに基づいて、設定された熱源設備の導入に関する予測値を算出する。なお、予測値は、ＨＤＤ２６に記憶されている予測値算出プログラムを用いることで算出される。予測値算出プログラムは、熱源設備に要する各種コスト、ＣＯ２排出量、及び消費電力量等を算出するための既知の方法を用いたプログラムである。
なお、選択された負荷パターンは、入力された地域（都市名）に応じて予め設定されている気象パターンに基づいて補正される。例えば、札幌のような寒冷な地域では、冬の負荷が大きくなるように補正され、夏の負荷が小さくなるように補正される。また、那覇のような温暖な地域では、冬の負荷が小さくなるように補正され、夏の負荷が小さくなるように補正される。具体的な補正方法としては、例えば、地域に応じて予め定められている補正係数を負荷パターンに乗算する。
このように、負荷パターンを、熱源設備を設置させる対象となる施設が位置する地域毎に異なる負荷パターンとすることで、設定された熱源設備の導入に関する予測値をより正確に算出することができる。
【００５３】
以下に、予測値の算出方法について、簡単に説明する。
図６に示すような、例えば、複数の冷凍機からなる構成であり、空調機などの負荷に対して冷水（冷熱）を供給する熱源設備が設定された場合、冷水が冷凍機へ送られた温度と冷水が冷凍機から返ってきた温度との温度差、及び冷水流量から負荷の熱量が計算できる。
また、冷凍機から送出された冷却水は、冷却塔によって冷却され、冷凍機へ戻る。冷却水が冷却塔によって冷却される温度は、外気温度によって変化する。
【００５４】
そして、設定された熱源設備の導入に関する予測値として、冷水の温度と冷水流量と負荷の熱量、及び選択された負荷パターンと入力された地域に応じた気象データから求められる外気温度や湿度等から、設定した熱源設備における消費電力量が算出される。さらに、算出された消費電力量からＣＯ２排出量や設定した熱源設備の１年間のランニングコストが算出される。また、設定した熱源設備を導入するために要するコスト（初期コストや保守コスト）も機器価格データから算出される。
【００５５】
また、本ステップ１１６では、上記予測値として、冷凍機を固定速制御とした場合、又は冷凍機をインバータ制御とした場合の熱源設備における消費電力量等を算出してもよい。
【００５６】
サーバ１４のＨＤＤ２６に記憶されている機器諸元データとして、図７（Ａ），（Ｂ）のようなインバータ制御可能な冷凍機の特性を示すデータ（以下、「冷凍機特性データ」という。）が記憶されている。図７（Ａ）は、ＣＯＰと負荷率との関係を冷却水入口温度毎に示したグラフであり、図７（Ｂ）は、冷凍機の消費電力量と負荷率との関係を冷却水入口温度毎に示したグラフである。
なお、ＣＯＰとは、冷凍機が供給する供給熱量（ｋＷ）を冷凍機が消費する消費電力量（ｋＷ）で除算した値であり、負荷率とは、負荷熱量を定格熱量で除算した値である。
【００５７】
そして、冷凍機特性データに基づいて、冷凍機をインバータ制御する場合の熱源設備における消費電力量が求められる。冷凍機をインバータ制御することによって、消費電力量が削減されるが、インバータ制御を導入することによって、初期コストや保守コストが増加することとなる。
【００５８】
また、本ステップ１１６では、上記予測値として、補機を固定速制御した場合、又は補機をインバータ制御した場合の熱源設備における消費電力量等を算出してもよい。インバータ制御により、例えば、冷水ポンプによる冷水の無駄な搬送動力や冷却水ポンプによる冷却水の無駄な搬送動力を削減できる。
【００５９】
冷水ポンプのインバータ制御の例としては、送水ヘッダ側と還水ヘッダ側との差圧が大きくなると回転数を落とす制御、複数の冷凍機への負荷配分のために回転数を変更する制御等がある。
冷却水ポンプのインバータ制御の例としては、外気温度と湿度から、湿球温度を算出すると共に、冷凍機の負荷率に基づいて、回転数を変更する制御がある。
このように、インバータ制御によって、冷水ポンプや冷却水ポンプによる消費電力量が削減されるが、インバータ制御を導入することによって、初期コストや保守コストが増加することとなる。
【００６０】
また、本ステップ１１６では、上記予測値として、冷水バイパス弁や冷却水バイパス弁を設け、各弁を制御する場合、又は冷水バイパス弁や冷却水バイパス弁と設けない場合の熱源設備における消費電力量等を算出してもよい。
【００６１】
冷水バイパス弁を設け、制御する例としては、負荷に対して冷水を安定供給するために、送水ヘッダ側と還水ヘッダ側との差圧を一定に保つように、差圧が大きくなると冷水バイパス弁の開度を変更する制御がある。
冷却水バイパス弁を設け、制御する例としては、冷凍機へ戻る冷却水の温度を一定に保つように、冷却水バイパス弁の開度を変更する制御がある。
【００６２】
さらに、本ステップ１１６では、上記予測値として、冷却水の温度が一定となるように、冷却塔に設けられているファンの回転数を制御する場合、又はファンの回転数を制御しない場合の熱源設備における消費電力量等を算出してもよい。
【００６３】
このように、冷水バイパス弁や冷却水バイパス弁を設置し、制御すること、及び冷却水等のファンの回転数を制御することによって、熱源設備の消費電力量が削減されるが、冷水バイパス弁や冷却水バイパス弁を設置することによって、初期コストや保守コストが増加することとなる。
【００６４】
そして、次のステップ１１８では、情報処理装置１２の画面に、試算された予測値を示す画像（以下、「試算結果画像」という。）を表示させ、本プログラムを終了する。
試算結果画像としては、例えば、設定された熱源設備における消費電力量、及び年間のランニングコスト等を示す画像が挙げられる。
【００６５】
試算結果画像として表示される画像の一例を図８に示す。
なお、図８（Ａ)の例では、インバータ制御を行わない冷凍機を導入した場合（従来冷凍機）、インバータ制御を行う冷凍機を導入した場合（ＩＮＶ冷凍機）、インバータ制御を行う冷凍機と共にインバータ制御を行う補機（各種ポンプ等）を導入した場合（ＩＮＶ冷凍機＋システム制御）における消費電力量と共に各補機の消費電力量の内訳、及び熱源設備全体のＣＯＰ（システムＣＯＰ）の試算結果を示している。
また、図８（Ｂ）の例では、従来冷凍機、ＩＮＶ冷凍機、及びＩＮＶ冷凍機＋システム制御における消費電力量に応じた電気料金の試算結果を示している。
【００６６】
これらの他に、試算結果画像として、従来冷凍機、ＩＮＶ冷凍機、ＩＮＶ冷凍機＋システム制御の初期コストや保守コスト、初期コストや保守コストに対する投資回収年、及び補給水量や廃棄水量等、他の予測値が表示されてもよい。
【００６７】
以上説明したように、本実施形態に係るサーバ１４は、情報処理装置１２から通信回線１６を介したアクセスがあった場合、情報処理装置１２の画面に、ＨＤＤ２６に記憶している負荷パターンデータにより示される複数の負荷パターンのうち、一つの負荷パターンの選択を促す画像を表示させる。そして、サーバ１４は、情報処理装置１２で選択された負荷パターンに基づいて、設定された熱源設備の導入に関する予測値を算出し、該予測値を情報処理装置１２の画面に表示させる。
このように、サーバ１４は、新たな熱源設備の導入に関する情報を、簡易に顧客に提供することができる。
【００６８】
また、本実施形態に係るサーバ１４は、負荷パターンを、熱源設備を設置させる対象となる施設の種類毎、及び熱源設備を設置させる対象となる施設が位置する地域毎に異なるものとするので、設定された熱源設備の導入に関する予測値をより正確に算出することができる。
【００６９】
また、本実施形態に係るサーバ１４は、予測値が算出される熱源設備の構成を変更可能としているので、より顧客の希望にそった熱源設備の導入に関する情報を、簡易に顧客に提供することができる。
【００７０】
また、本実施形態に係るサーバ１４は、予測値を、設定された熱源設備の消費電力量又は設定された熱源設備の導入により必要とするコストとするので、より顧客の希望にそった熱源設備の導入に関する情報を、簡易に顧客に提供することができる。
【００７１】
以上、本発明を、上記実施形態を用いて説明したが、本発明の技術的範囲は上記実施形態に記載の範囲には限定されない。発明の要旨を逸脱しない範囲で上記実施形態に多様な変更または改良を加えることができ、該変更または改良を加えた形態も本発明の技術的範囲に含まれる。
【００７２】
例えば、上記実施形態では、選択された負荷パターンは、熱源設備を設置させる対象となる施設が位置する地域に応じて補正される形態について説明したが、本発明は、これに限定されるものではなく、熱源設備を設置させる対象となる施設が位置する地域に応じて異なる負荷パターンが予め設けられ、熱源設備を設置させる対象となる施設及び該施設が位置する地域に応じて負荷パターンが選択される形態としてもよい。
【００７３】
また、上記各実施の形態で説明した熱源設備導入試算プログラムの処理の流れも一例であり、本発明の主旨を逸脱しない範囲内において不要なステップを削除したり、新たなステップを追加したり、処理順序を入れ替えたりすることができることは言うまでもない。
【符号の説明】
【００７４】
１０    熱源設備導入試算システム
１２    情報処理装置
１４    サーバ
１６    通信回線
２０    ＣＰＵ
２６    ＨＤＤ
【図１】
2012150674.tif 000003
【図２】
2012150674.tif 000004
【図３】
2012150674.tif 000005
【図４】
2012150674.tif 000006
【図５】
2012150674.tif 000007
【図６】
2012150674.tif 000008
【図７】
2012150674.tif 000009
【図８】
2012150674.tif 000010